(57)【要約】【課題】止血や、痛みの緩和や、治療を目的とする医療用のテープにおいて、薬剤等を医療用テープに付与された粘着物質と化学反応を起こさないこと、血液や膿などの体外排出物によるテープ粘着力が失われることを防ぐこと、外傷を負った患部、痛みを和らげたい箇所などの治療を必要とする箇所の大きさや形状に合わせた大きさや形状のシートを提供する。【解決手段】薬剤を含侵させた超微細な粒子に含侵させた上で、治療用粘着シートに付与された粘着物質に練り込む。更に、吸水性を持つ超微細な粒子を治療用粘着シートに付与された粘着物質に練り込む。【選択図】図１
2006020855.tif 000002
【特許請求の範囲】
【請求項１】
薬剤を含侵させた超微細な粒子が、粘着物質に練り込まれていることを特徴とした、皮膚へ貼り付けることを目的とした治療用粘着シート。
【請求項２】
吸水性を持つ超微細な粒子が、粘着物質に練り込まれていることを特徴とした請求項１記載の皮膚への貼り付けを目的とした治療用粘着シート。
【発明の詳細な説明】
【技術分野】
【０００１】
本発明は、外傷の治療、あるいは経皮吸収薬の皮膚からの吸収を目的とする、治療用粘着シートに関するものである。
【背景技術】
【０００２】
軽微な外傷の保護、治療に、あるいは魚の目、たこ、いぼなどの皮膚角質硬化に対する角質軟化、除去、肩こりや筋肉痛などの痛みを和らげる貼り薬や狭心症治療に対して、従来から絆創膏、救急絆創膏、ハップ剤、経皮吸収薬などのテープが使用されている。
【特許文献１】特開平５−１５５７６３号
【発明の開示】
【発明が解決しようとする課題】
【０００３】
上記治療用粘着シートに薬剤を含侵させた超微細な粒子を練り込むことで、外傷の治療、経皮吸収薬の皮膚への浸透を可能とする。ただし、上記治療用粘着シートに付与された粘着物質に薬剤を直接練り込ませてしまうと、粘着物質と薬剤による化学反応の起こる可能性がある。そこで、上記治療用粘着シートに付与された粘着物質と薬剤による化学反応の起こる可能性を無くすることを目的に、薬剤を含侵させた超微細な粒子を上記治療用粘着シートに付与された粘着物質に練り込む。
【０００４】
上記治療用粘着シートに薬剤を含侵させた超微細な粒子を練り込むことで、外傷の治療、経皮吸収薬の皮膚への浸透を可能とする。ただし、上記治療用粘着シートに付与された粘着物質に薬剤を直接練り込ませてしまうと、粘着物質と薬剤による化学反応の起こる可能性がある。そこで、上記治療用粘着シートに付与された粘着物質と薬剤による化学反応の起こる可能性を無くすることを目的に、薬剤を含侵させた超微細な粒子を上記治療用粘着シートに付与された粘着物質に練り込む。更には、血液や膿などの体外排出物により、上記治療用粘着シートに付与された粘着物質の粘着力の低下を防ぐことを目的に、吸水性を持つ超微細な粒子を上記治療用粘着シートに付与された粘着物質に練り込む。
【課題を解決するための手段】
【０００５】
治療、あるいは薬剤の浸透を必要とする患部に、上記治療用粘着シートの、薬剤を含侵させた超微細な粒子が練り込まれている箇所が接触するように貼り付ける。
【０００６】
上記治療用粘着シートに練り込む、あるいは上記治療用粘着シートに付与された粘着物質に練り込む、薬剤を含侵させた超微細な粒子には、マイクロカプセル、ナノチューブ、ポーラス状シリカなどの超微細な粒子を使用することで、上記治療用粘着シートを貼った後に、上記治療用粘着シートの皮膚との接着面とは反対側をシート越しに超微細な粒子を押しつぶすことで始めて、薬剤が皮膚に接触し浸透する機能を持たせられる。上記の超微細な粒子の中でも、多孔質構造を持つものに関しては、序放性の性質を利用して、薬剤を徐々に皮膚に浸透させていくという機能を持たせられる。また、上記の超微細な粒子の中から、複数種類の粒子を利用することで、更に特殊な機能を持たせられる。例えば、薬剤を含侵させたナノチューブをマイクロカプセルの中に注入した上で、上記治療用粘着シートに練り込む、あるいは上記治療用粘着シートに付与された粘着物質に練り込むことで、シートを貼った上から超微細な粒子を押しつぶすことで、マイクロカプセル内の薬剤を含侵させたナノチューブが放出される。そして、マイクロカプセル内から放出された、薬剤を含侵させたナノチューブが皮膚へ吸収され、体内へ浸透するという機能を持たせられる。
【０００７】
上記治療用粘着シートに付与された粘着物質に練り込む、超微細な粒子に含侵させる薬剤には、抗生物質・止血剤・生薬などを使用することが望ましい。
【０００８】
上記治療用粘着シートに付与された粘着物質に練り込む、超微細な粒子に含侵させる薬剤には、Ｌ−ケフラール、Ｌ−ケフレックス、アイロゾン、アイロタイシン、アクロマイシンＶ、アザクタム、アジスロマイシン、アジスロマイシン水和物、アジセフ、アズトレオナム、アスボキシシリン、アセチルスビラマイシン、アプテシン、アボパルシン、アマスリン、アミカマイシン、アミノサイジン、アミペニックス、アムホテリシンＢ、アモキシシリ、アモリン、アルベカシン、アンピシリン、イセパシン、イソニアジド、イトラコナゾール、イミペネム、イミペネム・シラスタチンナトリウム、ウィントマイロン、エクサシン、エタンブトール、エノキサシン、エペレゾリド、エポセリン、エリスロシン、エリスロマイシン、塩酸バンコマイシン、エンロフロキサシン、オーグペニン、オーグメンチン、オーレオマイシン、オキサイ、オキサシリン、オキシテトラサイクリン、オキセタン、オゼックス、オフロキサシン、オラスポア、オラセフ、オルペニン、カチフロ、カナマイシン、カナマイシン、カネンドマイシン、カルモナムナトリウム、キニーネ、キヌプリスチン、キノロン、クスナリン、クラビット、クラフォラン、クラモキシル、クラリシッド、クラリス、クラリスロマイシン、グリセオフルビン、グリペニン−Ｏ、クリンダマイシン、クルペン、クロラムフェニコール、クロルテトラサイクリン、クロロマイセチン、クロロマイセチンサクシネート、クロロマイセチンパルミテート、ケイペラゾン、結晶ペニシリン−Ｇ、ケニセフ、ケフドール、ケフラール、ケフリン、ケフレックス、ケフロジン、ゲンタシン、ゲンタマイシン、コスモシン、コリスチン、コリスチンＭ、サイデシン、ザイボックス、サガミシン、サマセフ、サラフロキサシン、サラフロックス、サワシリン、サンセファール、シオマリン、シクラシリンジスロマック、シセプチン、シナシッド、ジナセフ、シノバクト、シプロ、シプロキサン、シプロフロキサシン、小児用レダマイシンドライシロップ、ジョサマイシン、シンクル、シンシリンシンセペン、スクアラミン、スタフシリン、ストレプトグラミン、ストレプトマイシン、スパルフロキサシン、スピラマイシン、スペクチノマイシン、スルバクタム、スルバクタムナトリウム・アンピシリンナトリウム、スルファメチアジン、スルファメトキサゾール、スルペラゾン、スルホンアミド、セオビシン、ゼオペン、ゼオペン−Ｕ、セドラール、セノマイシン、セパトレン、セファクロル、セファゾリン、セファゾリンナトリウム、セファチオン、セファトレキシール、セファメジン、セファレキシン、セファロスポリン、セフォタックス、セフォビッド、セフォペラジン、セフジトレンピボキシル、セフジニル、セフスパン、セフゾン、セフタジジム、セプチコール、セフテラムピボキシル、セフトリアキソン、セフトリアゾン、セフポドキシムプロキセチル、セフメタゾールナトリウム、セフメタゾン、セフロ、セフロキサジン、セロスリン、センセファリン、ソルシリン、タイノール、タカシリン、タケスリン、タゾバクタム、ダプトマイシン、ダラシン、ダラシン−Ｐ、ダラシンパルミテート、タリビッド、ダルホプリスチン、チアンフェニコール、チエナム、チカルペニン、チルマポア、チロシン、テイコプラニン、テイコプラニン、テトラサイクリン、テラマイシン、ドイル、ドキシサイクリン、トシル酸スルタミシリン、トシル酸トスフロキサシン、トスキサシン、トブラシン、トブラマイシン、トミポラン、トミロン、トリメトプリム、ドルコール、トロバン、トロビシン、ナイスタチン、ナタシリン、ナフシリン、ナリジクス酸、ネオマイシン、ネオマイゾン、ネオマイゾンＧ、ネチリン、ノイセフ、ノルフロキサシン、バーサペン、バージニアマイシン、バイシリン、バイセダン、バイトリル、バカシル、バクシダール、バクトリム、バクトロバン、バシトラシン、バストシリン、パセトシン、パナシッド、バナン、バナンドライシ、パニペネム・ベタミプロン、バニマイシン、ハペカシン、バラシリン、バレオン、ハロスポア、バンコマイシン、パンスポリン、パンスポリンＴ、ビクシリン、ビクリ、ビスタマイシン、ヒドラマイシン、ビブラマイシン、ピペラシリン、ピペラシリンナトリウム、ピラジナミド、ファージバイオダーム、ファロペネムナトリウム、ファロム、ファロメシン、ブイペニシリンブイカルＫ、フォーチミシン、フラジオ、プリスチナマイシン、プリセフ、プリブナール、フルコナゾール、フルシトシン、フルマーク、フルマリン、プレヴナー、フレロキサシン、フロキサペン、フロモキセフナトリウム、フロモックス、ペクシタン、ベストコール、ペニシリン、ペングローブ、ベンジルペニシリンカリウム、ベンジルペニシリンベンザチン、ペントシリン、ペントレックス、ペンブリチン、ホスタサイクリン−ＰＲＭ、ホスホマイシンカルシウム、ホスホマイシンナトリウム、ホスミシン、ポリミキシン、マーキシン、マゲイニン、マトロマイシン、マトロマイシンＴ、ミオカマイシン、ミコナゾール、ミノサイクリン、ミノマイシン、メイセリン、メタコリマイシン、メチシリン、メデマイシン、メトシリンＳ、メリシン、メロペネム三水和物、モダシン、モトリン、モナペン、ヤマシリン、ヤマテタン、ユナシリン、ユナシン、ラタモキセフナトリウム、ラリキシン、ランボー、リカマイシン、リネゾリド、リファジン、リファンビシン、リファンピン、リブリオン、リマクタン、リモベロン、硫酸カナマイシン、硫酸ストレプトマイシン、硫酸ポリミキシンＢ、リラシリン、リンコシン、リンコマイシン、リンタマイシン、ルリッド、レダマイシンカプセル、レニラン、レボフロキサシン、ロイコマイシン、ロシレックス、ロセフィン、ロップ、ロメバクト、塩酸シプロフロキサシン、塩酸セフェピム、塩酸セフォゾプラン、塩酸セフォチアム、塩酸セフォチアムヘキセチル、塩酸セフカペンピボキシル、塩酸ドキシサイクリン、塩酸バカンピシリン、塩酸バンコマイシン、塩酸ミノサイクリン、塩酸ロメフロキサシン、免疫グロブリンＧ、硫酸アミカシン、硫酸アルベカシン、硫酸イセパマイシン、硫酸カナマイシン、硫酸ゲンタマイシン、硫酸ジベカシン、硫酸ストレプトマイシン、硫酸セフォセリス、硫酸セフピロム、硫酸ポリキミシンＢなどの抗生物質を使用することができる。
【０００９】
上記治療用粘着シートに練り込む、あるいは上記治療用粘着シートに付与された粘着物質に練り込む、超微細な粒子に含侵させる薬剤には、Ｌ−メントール、アスピリン、アスピリンアルミニウム、アセトアミノフェン、アンモニア水、イオウ、イソプロピルアンチピリン、イソプロピルメチルフェノール、イブプロフェン、イブプロフェンピコノール、インドメタシン、ウフェナマート、エタノール、エチニルエストラジオール、エテンザミド、カプサイシン、カンフル、カンフル、グリセリン、グリチルリチン酸、グリチルリチン酸ジカリウム、グリチルレチン酸、クロタミトン、クロルゾキサゾン、ケトプロフェン、コンドロイチン硫酸ナトリウム、サリチル酸、サリチル酸グリコール、サリチル酸メチル、ジエチルスチルベストロール、ジフェンヒドラミン、スルファチアジン、チモール、テストステロン、トウガラシエキス、トウガラシチンキ、ニコチン酸ベンジル、ノスカピン、ノニル酸ワニリルアミド、パンテニールエチルエーテル、パンテノール、パントテン酸カルシウム、ヒアルロン酸ナトリウム、ビタミンＢ６、ビタミンＥ、ヒドロコルチゾン、ヒノキチオール、ヒベンズ酸チペピジン、ピロキシカム、フェルビナク、フェンジゾ酸クロペラスチン、フェンプロバメート、ブフェキサマク、プロピオン酸テストステロン、ヘパリン類似物質、マレイン酸クロルフェニラミン、メチルテストステロン、メトカルバモール 、メントール、リドカイン、リン酸コデイン、リン酸ジヒドロコデイン、リン酸ジメモルファン、レゾルシン、安息香酸エストラジオール、塩化カルプロニウム、塩酸エプラジノン、塩酸ジフェンヒドラミン、塩酸ジブカイン、塩酸ピリドキシン、塩酸フェニレフリン、吉草酸プレドニゾロン、酸化亜鉛、臭化水素酸デキストロメトルファン、酢酸デキサメタゾン、酢酸トコフェロール、酢酸ヒドロコルチゾン、酢酸プレドニゾロン、尿素、酪酸ヒドロコルチゾンなどの薬効成分を使用することができる。
【００１０】
上記治療用粘着シートに練り込む、あるいは上記治療用粘着シートに付与された粘着物質に練り込む、超微細な粒子に含侵させる薬剤には、アオキ、アオツヅラフジ、アカザ、アカショウマ、アカネ、アカマツ、アカメガシワ、キカラマツ、アキグミ、アキノキリンソウ、アキョウ、アケビ、アサガオ、アシ、アジサイ、アシタバ、アズキ、アズマシャクナゲ、アセビ、アセンヤク、アマチャ、アマドコロ、アマナ、アマニン、アミガサユリ、アロエ、アワコガネギク、アンズ、アンソッコウ、イカリソウ、イケイ、イシミカワ、イズイ、イタドリ、イチイ、イチゴ、イチジク、イチヤクソウ、イチョウヨウ、イヌコウジュ、イヌザンショウ、イノコズチ、イブキジャコウソウ、イブキトラノオ、イボタノキ、イレイセン、イワタバコ、インチンコウ、インヨウカク、ウイキョウ、ウコギ、ウコン、ウズ、ウスバサイシン、ウゾッコツ、ウツギ、ウツボグサ、ウド、ウバイあるいはバイニクエキス、ウメ、ウヤク、ウヨリョウ、ウラジロガシ、ウルシ、ウレンボ、ウワウルシ、ウワミズザクラ、エイジツ、エゾエンゴサク、エニシダ、エビスグサ、エビズルジツ、エビズルヨウ、エンゴサク、エンジュ、エンメイソウ、オウガコンあるいはオウガニン、オウギ、オウゴン、オウセイ、オウド、オウバク、オウヒ、オウレン、オウレン、オウロウ、オオケタデ、オオバコ、オキナグサ、オケラ、オタネニンジン、オトギリソウ、オナモミ、オニグルミ、オニノヤガラ、オニユリ、オミナエシ、オランダガラシ、オリーブ、オンジ、カイカ、カイクジン、ガイショウ、カイニンソウ、カイバ、ガイハク、ガイヨウあるいはモグサ、カゴソウ、カゴソウ、カシ、カシュウ、カシュウ、ガジュツ、カタクリデンプン、カッコウ、カッコン、カッコン、カッセキ、カテイ、カノコソウ、カミツレあるいはカミツレカ、カラキョウカツ、カロコンあるいはカロウコン、カロジツあるいはカロウジツ、カロニンあるいはカロウニン、カンキョウ、カンショウキョウ、カンソウ、カンゾウ、カンツイ、カンテン、カントウカ、カントリソウあるいはレンセンソウ、キキョウ、キキョウコン、キコク、キササゲ、キササゲジツ、キジツ、キッカ、キッソウコン、キツネノボタン、キッピ、キナ、キナヒ、キバン、ギュウヘン、キョウカツ、キョウニン、キョウニン、ギョクチク、ギョクベイジュ、キランソウ、キンギンカ、ギンナン、ギンナンヨウ、クコシ、クコヨウ、クジン、クジン、クボク、クマザサヨウ、クリ、クレンビあるいはクレンシ、クロゴマ、クロモジ、ケイガイ、ケイカン、ケイシ、ケイナイキン、ケイヒ、ゲッケイジツ、ゲッケイヨウ、ケッソウコン、ケツメイシ、ゲンカ、ケンジツ、ゲンジン、ゲンノショウコ、ケンポナシ、コウイ、コウカ、ゴウカイ、コウシ、コウジュ、コウバンキ、コウブシ、コウベイ、コウボク、コウホン、ゴオウ、コオウレン、ゴカヒ、コクシマ、コケモモ、ゴシツ、ゴシツ、ゴシュユ、コジョウコン、コズイシ、ゴバイシ、ゴボウシ、ゴボウシ、ゴマ、ゴマシ、ゴミシ、ゴミシ、コリアンダー、コロンボ、コロンボコン、コンズランゴ、コンズランゴヒ、コンソリダコンあるいはシムフイツムコン、サイカク、サイコ、サイシン、サイチャ、サイハイラン、サクショウソウ、サクテキ、サフラン、サヨウ、サンキコン、サンキライ、サンザシ、サンシ、サンシシ、サンシュユ、サンショウ、サンズコン、サンソウニン、サンペンズあるいはコウボウチャ、サンモコン、サンヤク、ジオウ、シオン、ジギタリス、シクンシ、ジコッピ、シコン、シソシ、シソヨウ、シツリシ、シテイ、シマ、シャカンゾウ、シャクショウズ、シャクセキシ、シャクチリ、シャクヤク、ジャコウ、ジャショウシ、シャジン、シャゼンシ、シャゼンソウ、シャチュウ、ジユ、ジュウヤク、ジュウヤクあるいはジュウサイ、ジュクジオウ、シュクシャ、ショウウイキョウ、ショウキョウ、ショウグンボク、ジョウザン、ショウシ、ショウズク、ショウセッコウ、ショウトウ、ショウバク、ショウブコン、ショウマあるいはクロショウマ、ショウリク、ショウレンギョウ、ジリュウ、シンイ、シンキク、ジンギョウ、ジンコウ、シンピ、スイコウシあるいはコウソウ、スイサイヨウ、スイセン、スイテツ、ズシ、スホウボク、セイコウ、セイソウシ、セイヒ、セキサン、セキショウあるいはセキショウコン、セキショウズ、セキリュウカヒ、セキリュウヒあるいはセキリュウコンピ、セッケツメイ、セッコウ、セッコク、セッコツボク、セネガ、セネガコン、セリ、センカ、センカクソウ、ゼンカツ、センキュウ、センクツサイ、ゼンコ、センコツ、センソ、センソウ、ゼンタイあるいはセンタイ、センナ、センナジツ、センプクカ、センブリ、センレンシ、ソウキョウあるいはソウカクシ、ソウジあるいはソウジシ、ソウジシ、ソウジュツ、ソウズク、ソウハクヒあるいはソウヨウあるいはソウタイ、ソキクソウ、ソバヨウバイモ、ソホウボク、ソボク、ソヨウ、ソリシ、ダイウイキウ、ダイオウ、ダイゲキ、ダイコンあるいはヒバあるいはライフクシ、タイサンあるいはコサン、タイシャセキ、タイソウ、タイソウ、ダイフクヒ、タイヨウバクモントウ、タクシャ、タクラン、タラコンピ、タンジン、チクジョ、チクセツニンジン、チクセツニンジンあるいはワニンジン、チクヨウ、チクレキ、チモ、チャヨウ、チョウキョウカツあるいケンキョウカツ、チョウジ、チョウトウコウ、チョタン、チョレイ、チンジュ、チンピ、チンピ、ツバキ、ツユクサ、ツワブキ、テイレキシ、テンナンショウ、テンマ、テンモンウ、トウガシ、トウガラシ、トウキ、トウシ、トウジン、トウシンソウ、トウチュウカソウ、トウドッカツ、トウニン、トウヒ、トウヤク、トコン、トシシ、トチュウ、ドッカツベッコウ、トンシ、ナズナ、ナンガニン、ナンテンジツ、ナンバノケ、ナンバンモウ、ナンバンモウ、ニガキ、ニクジュヨウ、ニクズク、ニュウコウ、ニラ、ニンジンあるいはコウジン、ニンドウ、ニントウあるいはキンギンカ、ネギ、ノアザミ、ノブドウ、バイキセイ、ハイショウコン、バイモ、バクガ、ハクシニンあるいはソクハクヨウ、ハクトウオウ、ハクトウカあるいはトウヨウあるいはトウニン、ハクバン、バクモンドウあるいはショウバクモンドウ、ハゲキテン、ハコベ、バシケン、ハチミツ、ハッカあるいはハッカヨウ、ハックツサイ、ハトムギ、ハマボウフウ、バンカ、ハンゲ、バンショウ、バンショウ、ハンシレン、ハンピ、ハンペンレン、ハンロウ、ヒジツあるいはヒシ、ヒシノミ、ヒハツ、ヒマシ、ヒマワリ、ビャクガイシ、ビャクギュウ、ビャクゴウ、ビャクシ、ビャクジツあるいはソウジツ、ビャクジュツ、ビャクズク、ビャッキョウサン、ヒヨドリジョウゴ、ビワヨウあるいはビワニン、ビンロウジ、フクボンシ、ブクリュウカン、ブクリョウ、ブ、ヘクソカズラ、ヘチマスイあるいはヘチマセンイ、ベッコウ、ベラドンナコンあるいはラドンナコン、ヘンズ、ヘンチク、ボウイ、ボウコウナンあるいはハブチャ、ボウコン、ボウショウ、ボウチュウ、ボウフウ、ホウブシ、ボクソク、ホコウエイ、ボタンピ、ホミカ、ボレイ、マイカイカ、マオウ、マクリ、マシニン、マチンシ、マンケイシ、マンサクヨウ、ミズヒキコン、ミツロウ、ミョウバンスイ、ムカカあるいはムカカヨウ、メグスリノキ、モクゾク、モクツウ、モクテンリョウ、モッカ、モッキンカ、モッコウ、モツヤク、ヤカン、ヤクチ、ヤクモソウあるいはジュウイシ、ユウタン、ユキノシタ、ヨウテイコン、ヨウバイヒ、ヨクイニン、ラカンカ、ラフマ、ランオウ、ランソウ、リュウガソウ、リュウガンニク、リュウコツ、リュウタン、リュウノウギク、リョウキョウ、リョウジツ、リンゴ、レイシ、レイヨウカク、レキセイ、レンギョウ、レンセンソウ、レンニク、ロートコン、ロカイ、ロクジョウ、ロコン、ロジン、ロテイソウ、ワコウホン、ワノカントウカ、ワノゴカヒ、ワノタンチクヨウ、ワモッカなどの生薬を使用することができる。
【発明の効果】
【００１１】
上記治療用粘着シートの皮膚への接着面においては、接着面全体に薬剤を含侵させた超微細な粒子が付与されているため、外傷を負った患部、痛みを和らげたい箇所などの治療を必要とする箇所の大きさや形状に合わせて自由に切り取り、貼り付けることができる。更には、吸水性を持つ超微細な粒子を治療用粘着シートに付与された粘着物質に練り込むことで、血液や膿などの体外排出物による上記治療用粘着シートの粘着力の低下を防ぐことができる。
【発明を実施するための最良の形態】
【００１２】
上記治療用粘着シートに付与された粘着物質に、薬剤を含侵させた超微細な粒子と吸水性を持つ超微細な粒子を練り込ませる。
【実施例１】
【００１３】
上記治療用粘着シートの皮膚への接着面においては、接着面全体に薬剤を含侵させた超微細な粒子が付与されているため、外傷を負った患部、痛みを和らげたい箇所などの治療を必要とする箇所の大きさや形状に合わせて自由に切り取り、貼り付ける。
【図面の簡単な説明】
【００１４】
【図１】薬剤を含侵させた超微細な粒子を粘着物質内に練り込ませた治療用粘着シートの接着面の図
【図２】薬剤を含侵させた超微細な粒子と、吸水性を持つ超微細な粒子を粘着物質内に練り込ませた治療用粘着シートの接着面の図
【符号の説明】
【００１５】
１０            シート裏面
１１            粘着物質
１２            薬剤を含侵した超微細な粒子
２０            シート裏面
２１            粘着物質
２２            薬剤を含侵した超微細な粒子
２３            吸水性を持つ超微細な粒子
【図１】
2006020855.tif 000003
【図２】
2006020855.tif 000004